【手続補正書】
【提出日】平成21年11月26日(2009.11.26)
【手続補正１】
【補正対象書類名】特許請求の範囲
【補正対象項目名】全文
【補正方法】変更
【補正の内容】
【特許請求の範囲】
【請求項１】
成分Ａ、Ｂ、及びＣ１の総計を１００質量％とするとき、
ａ）０．８〜２５質量％の、成分Ａとして、少なくとも一個の疎水性ブロックＸと少なくとも一個の親水性ブロックＹとからなる少なくとも一種のポリイソブテン誘導体と、
ｂ）６〜２５質量％の、成分Ｂとして、少なくとも一種の染料と、
ｃ）５０〜９３．２質量％の、成分Ｃ１として、少なくとも一種のポリオレフィンと、
を含む染料濃縮物Ｆ１、又は
成分Ａ、Ｂ、及びＣ２の総量を１００質量％とするとき
ａ）０．８〜２５質量％の成分Ａと、
ｂ）６〜２５質量％の成分Ｂと、
ｃ）５０〜９３．２質量％の、成分Ｃ２として、溶媒と、
を含む染料濃縮物Ｆ２であって、
該染料濃縮物中の成分Ａの成分Ｂに対する質量比が、３０：１〜１：３０の範囲であることを特徴とする染料濃縮物。
【請求項２】
染料濃縮物Ｆ１の場合、
成分Ａ、Ｂ、及びＣ１の総量を１００質量％とするとき
ａ）１．５〜１５質量％の成分Ａと、
ｂ）６〜１５質量％の成分Ｂと、
ｃ）７０〜９２．５質量％の成分Ｃ１と、を含む、又は、
染料濃縮物Ｆ２の場合、
上記成分Ａ、Ｂ、及びＣ２の合計を１００質量％とすると、
ａ）１．５〜１５質量％の成分Ａと、
ｂ）６〜１５質量％の成分Ｂと、
ｃ）７０〜９２．５質量％の成分Ｃ２と、を含む
請求項１に記載の染料濃縮物。
【請求項３】
請求項１又は２に記載の染料濃縮物の製造方法であって、
前記成分Ａ、成分Ｂ、及び成分Ｃ１又は成分Ｃ２を互いに或いは一つずつ混合する工程を含むことを特徴とする方法。
【請求項４】
請求項１又は２に記載の染料濃縮物を、高分子材料に接触させることで、該高分子材料を着色する方法。
【請求項５】
ｉ）請求項１又は２に記載の少なくとも一種の染料濃縮物と
ｉｉ）少なくとも一種の高分子材料と
からなることを特徴とする着色高分子組成物。
【請求項６】
請求項５に記載の着色高分子組成物からなることを特徴とする成型物、フィルム、包装材料または繊維。
【手続補正２】
【補正対象書類名】明細書
【補正対象項目名】０００５
【補正方法】変更
【補正の内容】
【０００５】
原理的には、水系液体から染料を移行させてポリオレフィン類を染色することは可能である。しかしながら、厚みのある物品の着色には染色は好ましくない。水系液体から供給される染料は、外側からその物品内に浸透するため、比較的厚みのある物品を均一に着色することは難しい。
【手続補正３】
【補正対象書類名】明細書
【補正対象項目名】００１７
【補正方法】変更
【補正の内容】
【００１７】
本発明の染料濃縮物は、成分Ａと成分Ｂに加えて、少なくとも一種のポリオレフィンを成分Ｃ１として及び／又は少なくとも一種の溶媒を成分Ｃ２として含有している。
【手続補正４】
【補正対象書類名】明細書
【補正対象項目名】００１８
【補正方法】変更
【補正の内容】
【００１８】
本発明は、
成分Ａ、Ｂ、及びＣ１の総計を１００重量％とするとき、
ａ）０．８〜２５重量％、好ましくは１．５〜１５重量％、より好ましくは３〜１０重量％、最も好ましくは５〜１０重量％の成分Ａ、
ｂ）０．８〜２５重量％、好ましくは１．５〜１５重量％、より好ましくは３〜１０重量％、最も好ましくは５〜１０重量％の成分Ｂ、及び
ｃ）５０〜９８．４重量％、好ましくは７０〜９７重量％、より好ましくは８０％〜９４重量％、最も好ましくは８０〜９０重量％の成分Ｃ１を含む染料濃縮物Ｆ１を提供する。
【手続補正５】
【補正対象書類名】明細書
【補正対象項目名】００１９
【補正方法】変更
【補正の内容】
【００１９】
また、本発明は
成分Ａ、Ｂ、及びＣ２の総計を１００重量％とするとき、
ａ）０．８〜２５重量％、好ましくは１．５〜１５重量％、より好ましくは３〜１０重量％、最も好ましくは５〜１０重量％の成分Ａ、
ｂ）０．８〜２５重量％、好ましくは１．５〜１５重量％、より好ましくは３〜１０重量％、最も好ましくは５〜１０重量％の成分Ｂ、及び
ｃ）５０〜９８．４重量％、好ましくは７０〜９７重量％、より好ましくは８０％〜９４重量％、最も好ましくは８０〜９０重量％の成分Ｃ２を含む染料濃縮物Ｆ２を提供する。
【手続補正６】
【補正対象書類名】明細書
【補正対象項目名】００６７
【補正方法】変更
【補正の内容】
【００６７】
成分Ａと成分Ｂに加えて、本発明の染料濃縮物は、好ましくは少なくとも一種のポリオレフィンを成分Ｃ１として及び／又は少なくとも一種の溶媒を成分Ｃ２として含む。
【手続補正７】
【補正対象書類名】明細書
【補正対象項目名】００６８
【補正方法】変更
【補正の内容】
【００６８】
成分Ｃ１
原理的には、当業界の熟練者には公知のいかなるポリオレフィンも適当である。これは、エチレンや、プロピレン、１−ブテン、２−ブテン、イソブテン、１−ペンテン、１−ヘキセン、１−ヘプテン、１−オクテンなどの基本的なＣ2−Ｃ8化合物、スチレンやα−メチルスチレンなどのスチレン誘導体、およびこれらの混合物から選ばれるホモポリマーまたはコポリマーである。
【手続補正８】
【補正対象書類名】明細書
【補正対象項目名】００６９
【補正方法】変更
【補正の内容】
【００６９】
成分Ｃ１は、好ましくはＣ2〜Ｃ4−オレフィンを含むポリオレフィンを主成分として持つものであり、より好ましくはポリエチレンまたはポリプロピレンのホモポリマーまたはコポリマーである。コポリマーは、ランダムコポリマーであってもブロックコポリマーであってもよい。コポリマー中の適当なコモノマーは、使用する特定の基本ポリオレフィン種により決まる。基本のポリオレフィン種によるが、適当なコモノマーの例としては、エチレンまたは他のα−オレフィン類、１，４−ヘキサジエン、１，５−ヘキサジエン、１，６−ヘプタジエン、２−メチル−１，４−ペンタジエン、１，７−オクタジエン、６−メチル−１，５−ヘプタジエンなどのジエン類、オクタトリエンやジシクロペンタジエンなどのポリエン類があげられる。これらのコモノマーからできるコポリマーの含有量は、使用する全モノマーの総量に対して、通常４０重量％以下、好ましくは３０重量％以下である。例えば、これらのコモノマーの含有量は、用途に応じて２０〜３０重量％または２〜１０重量％の範囲である。上記のようにホモポリマーを使用することもできる。
【手続補正９】
【補正対象書類名】明細書
【補正対象項目名】００７０
【補正方法】変更
【補正の内容】
【００７０】
成分Ｃ１として使用するポリエチレン系ポリオレフィンは、好ましくは線状ポリエチレン（ＨＤＰＥ、ＬＬＤＰＥ）である。このポリオレフィンは、ホモポリマーとして使用してもよいが、ランダムまたはブロックコポリマーでもよく、その場合上記の通常のコモノマーを用いることができる。
【手続補正１０】
【補正対象書類名】明細書
【補正対象項目名】００７１
【補正方法】変更
【補正の内容】
【００７１】
特に好ましい実施様態においては、成分Ｃ１として用いられるポリオレフィンはポリプロピレンである。このポリプロピレンは、ポリプロピレンホモポリマーであってもコポリマーであってもよい。適当なコモノマーは上述の通りである。好ましいコモノマーはエチレン、上記のα−オレフィン類、ジエン及び／又はポリエンである。ポリプロピレンを選択してもよい。特に好ましいのは、高いメルトフローインデックス、例えば２５〜５５ｇ／１０分 （ＩＳＯ１１３３に準じて測定）を持つポリプロピレンである。例えば、このポリプロピレンのＭＦＩメルトフローインデックス（２３０℃、２．１６ｋｇ）が４０ｇ／１０分であってもよい。透明なポリプロピレンが極めて好ましい。
【手続補正１１】
【補正対象書類名】明細書
【補正対象項目名】００７３
【補正方法】変更
【補正の内容】
【００７３】
成分Ｃ１として用いるポリオレフィンは、従来の製造法、例えばチーグラーナッタ触媒またはメタロセン触媒を使用する製造方法で得ることができる。
【手続補正１２】
【補正対象書類名】明細書
【補正対象項目名】００７５
【補正方法】変更
【補正の内容】
【００７５】
成分Ｃ２
一般に、着色される高分子材料を溶解するものならどのような溶媒を用いてもよい。なお、溶媒は一般的には高沸点有機化合物であり、その沸点は、一般的には高分子材料の着色に用いる温度より高く、好ましくは８０℃を超え、より好ましくは１２０℃を超え、より好ましくは１４０℃を超え、最も好ましくは１６０℃を超える。なお、これらの溶媒は、特に低粘度であり、即ち液体のポリマー及び／又はオリゴマーまたは長鎖炭化水素である。一般に、溶媒として使用するこれらのポリマー及び／又はオリゴマーまたは長鎖炭化水素の粘度は、＜５Ｐａｓ（ＤＩＮ５１５６２に準じて測定）である。特に使用が好ましい溶媒は、ポリイソブテンまたはポリイソブテン誘導体であり、その分子量Ｍｎは、ポリスチレンを標準としてゲル浸透クロマトグラフィーで測定した場合、一般的には２００〜１０００である。特定の分子量を持つポリイソブテンは、溶媒としての使用が極めて好ましい。これらの特定の低粘度ポリマーまたはオリゴマーは市販されており、例えばＢＡＳＦ社のグリソパル（Ｒ）シリーズの製品として入手が可能である。
【手続補正１３】
【補正対象書類名】明細書
【補正対象項目名】００７６
【補正方法】変更
【補正の内容】
【００７６】
成分Ｃ２が、本発明の染料濃縮物（染料濃縮物Ｆ２）中に存在していてもよい。また、高分子材料中への導入を促進するために、成分Ｃ２を含まない本発明の染料濃縮物と少量の成分Ｃ２とを、高分子材料の着色に使用する前に混合してもよい。
【手続補正１４】
【補正対象書類名】明細書
【補正対象項目名】００７７
【補正方法】変更
【補正の内容】
【００７７】
本発明の染料濃縮物は、また成分Ａ、成分Ｂ、適当なら成分Ｃ１及び／又は成分Ｃ２も、他の従来より使用されている添加物や助剤を成分Ｄとして含んでいてもよい。好適な添加物や助剤の例としては、可塑剤、酸化防止剤、帯電防止剤、安定剤、殺菌剤、難燃剤、増量剤、分散剤、錯化剤、流動化剤、核剤、ＵＶ劣化に対する安定剤（ＵＶ吸収剤）やＩＲ吸収剤があげられ、例えばテリレンやクオタリレン誘導体類やシアニン類、金属ジチオレエート類、アンモニウム塩から選ばれる。
【手続補正１５】
【補正対象書類名】明細書
【補正対象項目名】００７８
【補正方法】変更
【補正の内容】
【００７８】
本発明の染料濃縮物は、成分Ａと、成分Ｂと、必要なら成分Ｃ１及び／又は成分Ｃ２と、適当なら成分Ｄとを混合することで得られる。
【手続補正１６】
【補正対象書類名】明細書
【補正対象項目名】００７９
【補正方法】変更
【補正の内容】
【００７９】
好ましくは、成分Ａとして用いられるポリイソブテン誘導体類は、成分Ｂとして用いられる染料とともに、適当なら成分Ｃ１として用いられるポリオレフィン類及び／又は成分Ｃ２として用いられる溶媒とともに、さらに場合によっては成分Ｄとともに、適当な装置により加熱溶融後、強力に混合される。例えば、ニーダー、ミキサー、一軸押出機、二軸押出機または他の分散装置が好適な装置となる。溶融した染料濃縮物組成物は、基本的には既知の方法により、ダイを通して分散装置から払い出される。例えば、ストランド状に押し出し、カットしてペレットにしてもよい。本発明の染料濃縮物が好ましくは成分Ｃ１を含む場合、この溶融物を射出成形またはブロー成形により直接成型物に成型してもよいし、適当なダイを通して押し出して繊維としてもよい。成分Ａ、成分Ｂ、適当なら成分Ｃ１及び／又は成分Ｃ２、また適当なら成分Ｄを加熱して溶融させ、同時に上記の装置内で強く混合して本発明の染料濃縮物を製造することが好ましい。本発明の染料濃縮物の製造方法において、ポリイソブテン誘導体（成分Ａ）は溶液として用いても良いし無溶媒で用いてもよいが、無溶媒が好ましい。成分Ｃ２として述べた溶媒は、好適な溶媒である。
【手続補正１７】
【補正対象書類名】明細書
【補正対象項目名】００８０
【補正方法】変更
【補正の内容】
【００８０】
成分Ａ、成分Ｂ、適当なら成分Ｃ１及び／又は成分Ｃ２、適当なら成分Ｄの混合／ブレンドの温度は、ポリオレフィンが成分Ｃ１として存在する場合には、一般的には使用するポリオレフィンの種類により決まる。一方で、このポリオレフィンは、混合が可能となるまで十分に軟化する必要がある。他方、あまり流動性が上がりすぎてもいけなく、流動性が上がりすぎると、せん断エネルギーをかけることができなくなり、また熱劣化の恐れも出てくる。一般に、本発明の染料濃縮物の製造の際の混合／ブレンド温度は、成分Ｃ１が存在する場合は、１２０〜３００℃の範囲である。本発明で成分Ａとして用いるポリイソブテン誘導体が十分な熱安定性を持つことが特に有利である。 
【手続補正１８】
【補正対象書類名】明細書
【補正対象項目名】００８１
【補正方法】変更
【補正の内容】
【００８１】
本発明の方法は、成分Ａと成分Ｂとを上記の比率で含む本発明の染料濃縮物を提供する。成分Ａ、成分Ｂ、成分Ｃ１及び／又は成分Ｃ２を上記の量で含む染料濃縮物を得ることが好ましい。
【手続補正１９】
【補正対象書類名】明細書
【補正対象項目名】００８２
【補正方法】変更
【補正の内容】
【００８２】
成分Ａ、成分Ｂ、成分Ｃ１、さらに適当なら成分Ｄを含む好ましい染料濃縮物の製造のための本発明の製造方法の実施様態において、成分Ａとして用いられるポリイソブテン誘導体が、二段プロセスで成分Ｃ１として用いられるポリオレフィンに取り込まれることが好ましい。この目的のために、成分Ａとして用いられるポリイソブテン誘導体を、加熱により、成分Ｃ1として用いられるポリオレフィンの一部とのみに混合する。上述の装置を混合に用いてもよい。成分Ａとして用いられるポリイソブテン誘導体のポリオレフィン濃縮物の含有レベルは、一般的には３〜７０重量％の範囲、好ましくは５〜４０重量％の範囲、より好ましくは１０〜３０重量％の範囲である。この濃縮物は、次いで第二の工程において成分Ｃ１として用いられるポリオレフィンの残りと成分Ｂとして用いられる染料と加熱下で混合され、目的用途に応じて成型される。例えば、後続の他の加工のために、ペレット等の成型物を生産してもよい。
【手続補正２０】
【補正対象書類名】明細書
【補正対象項目名】００８３
【補正方法】変更
【補正の内容】
【００８３】
また、上記分散装置において、成分Ａを、直接成分Ｂ、適当なら成分Ｃ１及び／又は成分Ｃ２、また適当なら成分Ｄと処理してもよい。
【手続補正２１】
【補正対象書類名】明細書
【補正対象項目名】００８７
【補正方法】変更
【補正の内容】
【００８７】
本発明の染料濃縮物で着色するのが適当なポリオレフィンは、上述のポリオレフィン類である。即ち、好ましいポリオレフィンは、ポリプロピレンとそのコポリマーであり、透明ポリプロピレンが特に好ましい。着色されるポリオレフィンが、成分Ｃ１として用いられるポリオレフィンまたは成分Ｃ１以外のポリオレフィンと同一のポリオレフィンを含んでいてもよい。好ましくは、この着色されるポリオレフィンが、成分Ｃ１として用いられるポリオレフィンと相溶性があることが好ましく、同一であることがより好ましい。
【手続補正２２】
【補正対象書類名】明細書
【補正対象項目名】００９４
【補正方法】変更
【補正の内容】
【００９４】
高分子材料の成分Ｅとしての少なくとも一種のブロックコポリマーとの接触は、高分子材料の本発明の染料濃縮物との接触前あるいは接触後でもよく、また同時であってもよい。また、染料濃縮物Ｆ１の場合、成分Ｅを、成分Ｃ１として用いられるポリオレフィンに添加してもよい。
【手続補正２３】
【補正対象書類名】明細書
【補正対象項目名】００９６
【補正方法】変更
【補正の内容】
【００９６】
（ｉｉ）上記のように、染料濃縮物Ｆ１が適当な成分を混合して製造される前に、染料濃縮物Ｆ１の成分Ｃ１が少なくとも一種のブロックコポリマーＥを含んでいてもよい。この場合、ブロックコポリマーＥは、成分Ｃ１として用いられるポリオレフィンと接触させられる。少なくとも一種のポリオレフィンと少なくとも一種のブロックコポリマーＥを含む高分子組成物の製造方法が、例えばファイル参照番号がＰＣＴ／ＥＰ２００６／０６２４６９の既出願未公開特許に開示されている。得られたポリマー混合物は、成分Ａと成分Ｂとに接触させられて染料濃縮物Ｆ１を与える。この本発明の染料濃縮物Ｆ１は、次いで、少なくとも一種の高分子材料、好ましくはポリオレフィンと接触させられて、本発明の着色高分子組成物を与える。